Podtech/llm-jp-corpus-v4-ja_patent huggingface dataset:
【手続補正書】
【提出日】令和3年4月9日(2021.4.9)
【手続補正１】
【補正対象書類名】特許請求の範囲
【補正対象項目名】請求項１
【補正方法】変更
【補正の内容】
【請求項１】
少なくとも負極、リチウムイオン伝導体、正極から構成され、該負極と正極の間に該リチウムイオン伝導体が正負極と接して設けられているリチウムイオンの挿入脱離が可能な蓄電デバイスにおいて、少なくとも該負極又は正極のいずれか一方の表面が、二重結合と単結合が交互に並んだ構造の共役π電子系が直線的な分子鎖に沿って連なる一次元構造及び、エステル結合、エーテル結合、チオエーテル（スルフィド）結合、カルボニル基、環状構造の群から選択される一種以上の構造から成る層で被覆され、該被覆層が加熱により変形が容易な熱可塑性樹脂とリチウムイオン伝導性粒子を含有し、
上記負極又は正極の少なくともいずれか一方が、少なくとも活物質と導電助剤と加熱により変形が容易な熱可塑性樹脂とリチウムイオン伝導性粒子と、二重結合と単結合が交互に並んだ構造の共役π電子系が直線的な分子鎖に沿って連なる一次元構造のポリマーもしくはオリゴマーから成り、
前記負極の主活物質がシリコン、シリコン合金、酸化シリコン、スズ合金、から成る群から選択される一種類以上の材料の微粉である、
ことを特徴とする蓄電デバイス。
【手続補正２】
【補正対象書類名】特許請求の範囲
【補正対象項目名】請求項２
【補正方法】変更
【補正の内容】
【請求項２】
前記負極又は正極のいずれか一方の表面を被覆する層が、少なくとも幹ポリマーの枝分かれ部分が二重結合と単結合が交互に並んだ構造の共役π電子系が直線的な分子鎖に沿って連なる一次元構造を有する導電性ポリマー構造で、エステル結合、エーテル結合、チオエーテル（スルフィド）結合、カルボニル基、環状構造の群から選択される一種以上の結合含有の架橋構造も有するグラフトポリマーから成ることを特徴とする請求項1記載の蓄電デバイス。
【手続補正３】
【補正対象書類名】特許請求の範囲
【補正対象項目名】請求項３
【補正方法】変更
【補正の内容】
【請求項３】
前記負極と正極間に設けられたリチウムイオン伝導体が、少なくとも、平均繊維径１μｍ以下のガラス繊維の不織布と、加熱により変形が容易な熱可塑性樹脂とリチウムイオン伝導性固体電解質粒子と、二重結合と単結合が交互に並んだ構造の共役π電子系が直線的な分子鎖に沿って連なる一次元構造のポリマーもしくはオリゴマーから成ることを特徴とする請求項1記載の蓄電デバイス。
【手続補正４】
【補正対象書類名】特許請求の範囲
【補正対象項目名】請求項５
【補正方法】変更
【補正の内容】
【請求項５】
前記リチウムイオン伝導性粒子が、硫化物系リチウムイオン導電体、ＮＡＳＩＣＯＮ型リチウムイオン伝導体、ペロブスカイト型リチウムイオン伝導体、ガーネット型リチウムイオン導電体、酸化タングステン、酸化モリブデン、酸化ニオブ、から成る群から選択される一種類以上のイオン伝導性粒子であることを特徴とする請求項１記載の蓄電デバイス。
【手続補正５】
【補正対象書類名】特許請求の範囲
【補正対象項目名】請求項６
【補正方法】変更
【補正の内容】
【請求項６】
少なくとも、平均繊維径１μｍ以下のガラス繊維の不織布と、熱可塑性樹脂と、リチウムイオン伝導性固体電解質粒子と、二重結合と単結合が交互に並んだ構造の共役π電子系が直線的な分子鎖に沿って連なる一次元構造の導電性ポリマーもしくはオリゴマーとから成り、
該熱可塑性樹脂の比率は２０〜５０重量％ 、該導電性ポリマーもしくはオリゴマーの比率は１０〜５０重量％ 、該リチウムイオン伝導性固体電解質粒子の比率は２０〜６０重量％ 、該ガラス繊維の不織布の比率は１０〜５０重量％であることを特徴とする蓄電デバイス用シート状固体電解質。
【手続補正６】
【補正対象書類名】特許請求の範囲
【補正対象項目名】請求項７
【補正方法】変更
【補正の内容】
【請求項７】
前記リチウムイオン伝導性固体電解質粒子が、硫化物系リチウムイオン導電体、ＮＡＳＩＣＯＮ型リチウムイオン伝導体、ペロブスカイト型リチウムイオン伝導体、ガーネット型リチウムイオン導電体から成る群から選択される一種類以上の固体電解質粒子であることを特徴とする請求項6記載の蓄電デバイス用シート状固体電解質。
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
複数色の発光素子からなる光源部が有する光色の出力割合である発光色情報を含む点灯条件情報を一つの単位情報として一つの出力操作部に割り当て、この出力操作部によって操作された出力レベルを出力可能な制御部と；
前記複数色の発光素子からなる光源部を有するとともに、前記制御部から出力レベルを取得し、前記出力操作部に対応して記憶された前記点灯条件情報および前記出力レベルに基づき前記光源部を制御する照明器具と；
を含むことを特徴とする照明システム。
【請求項２】
前記点灯条件情報は、前記照明器具から照射される光の照射方向を示す角度情報もしくは前記照明器具から照射される光の点灯・消灯のタイミングおよびスピードを定めた時間情報を含むことを特徴とする請求項１記載の照明システム。
【請求項３】
前記照明器具は、前記点灯条件情報に基づく出力割合をDMXで通信される１つの制御チャンネルに割り当てて記憶する記憶部を備えることを特徴とする請求項１または２に記載の照明システム。
【請求項４】
前記制御部は、前記発光色情報を前記記憶部に記憶させることが可能なことを特徴とする請求項３に記載の照明システム。
【手続補正２】
【補正対象書類名】明細書
【補正対象項目名】０００６
【補正方法】変更
【補正の内容】
【０００６】
本発明の実施形態である照明システムは、複数色の発光素子からなる光源部が有する光色の出力割合である発光色情報を含む点灯条件情報を一つの単位情報として一つの出力操作部に割り当て、この出力操作部によって操作された出力レベルを出力可能な制御部と、複数色の発光素子からなる光源部を有するとともに、制御部から出力レベルを取得し、出力操作部に対応して記憶された点灯条件情報および出力レベルに基づき光源部を制御する照明器具と、を備える。
【手続補正書】
【提出日】令和3年5月14日(2021.5.14)
【手続補正１】
【補正対象書類名】明細書
【補正対象項目名】００３９
【補正方法】変更
【補正の内容】
【００３９】
図８は、ＩＣカード１１による認証動作を示す図である。
従業員は、タイムレコーダ端末２にＩＣカード１１をタッチする。ＣＰＵ２１は、ＮＦＣリーダ２６によってＩＣカード１１から識別情報を読み取る。これにより、ＣＰＵ２１は、この従業員の出勤を打刻し、メッセージ領域５２２に、この従業員の番号と名前（氏名）とを表示する。
【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
複数の機能を実行することのできる情報処理装置において、
少なくとも第１のアイコンと第２のアイコンを表示するアイコン選択画面を表示する表示部と、
前記表示部の表示言語を設定する設定手段と、
前記アイコン選択画面に、前記設定手段によって設定された表示言語で、前記第１のアイコンの名称を表示させる表示制御手段と、
前記アイコン選択画面を介して、前記第１のアイコンの選択を受け付ける受付手段と、
前記受付手段による前記第１のアイコンの受付に従って、前記第１のアイコンに対応する機能を実行する実行手段とを有し、
前記第２のアイコンは、前記表示言語を設定するための言語切替アイコンであり、前記表示制御手段は、前記言語切替アイコンの名称を前記設定された表示言語とは異なる複数種類の言語で表示させ、
前記表示部に表示されている前記言語切替アイコンが指示されると、前記設定手段によって設定された表示言語が異なる言語に切り替えられることを特徴とする情報処理装置。
【請求項２】
前記言語切替アイコンの名称は、所定時間毎に異なる種類の言語で表示されることを特徴とする請求項１に記載の情報処理装置。
【請求項３】
前記第１のアイコンは、前記機能を示す画像と前記機能の名称を含むことを特徴とする請求項１または２に記載の情報処理装置。
【請求項４】
前記第２のアイコンを表示してから経過した時間を計測する計測手段をさらに有し、
前記表示制御手段は、前記計測手段により計測された時間に基づいて、名称の表示に使用されている言語と異なる言語で名称を表示することを特徴とする請求項１乃至３のいずれか一項に記載の情報処理装置。
【請求項５】
前記計測手段により計測された時間に応じて通知をする通知手段をさらに有し、
前記表示制御手段は前記通知手段からの通知に基づいて、名称の表示に用いられる言語を切り替えることを特徴とする請求項４に記載の情報処理装置。
【請求項６】
前記通知手段は、アイコン表示から経過した時間が前記所定の時間に達したことに従って通知することを特徴とする請求項５に記載の情報処理装置。
【請求項７】
前記設定手段は、リモートＵＩで設定されることを特徴とする請求項１に記載の情報処理装置。
【請求項８】
前記表示部による前記アイコン選択画面の表示が完了するまで、アイコンの表示の切り替えを継続して実行することを特徴とする請求項１乃至７のいずれか一項に記載の情報処理装置。
【請求項９】
前記複数の機能はコピー、スキャン、ファクスの少なくとも一つを含むことを特徴とする請求項１乃至８のいずれか一項に記載の情報処理装置。
【請求項１０】
少なくとも第１のアイコンと第２のアイコンを表示するアイコン選択画面を表示する表示部を有し、複数の機能を実行することのできる情報処理装置の制御方法において、
前記表示部の表示言語を設定する設定工程と、
前記アイコン選択画面に、前記設定工程によって設定された表示言語で、前記第１のアイコンの名称を表示させる表示制御工程と、
前記アイコン選択画面を介して、前記第１のアイコンの選択を受け付ける受付工程と、
前記受付工程による前記第１のアイコンの受付に従って、前記第１のアイコンに対応する機能を実行する実行工程とを有し、
前記第２のアイコンは、前記表示言語を設定するための言語切替アイコンであり、前記表示制御工程は、前記言語切替アイコンの名称を前記設定された表示言語とは異なる複数種類の言語で表示させ、
前記表示部に表示されている前記言語切替アイコンが指示されると、前記設定工程によって設定された表示言語が異なる言語に切り替えられることを特徴とする制御方法。
【請求項１１】
前記言語切替アイコンの名称は、所定時間毎に異なる種類の言語で表示されることを特徴とする請求項１０に記載の制御方法。
【請求項１２】
前記第１のアイコンは、前記機能を示す画像と前記機能の名称を含むことを特徴とする請求項１０または１１に記載の制御方法。
【請求項１３】
前記第２のアイコンを表示してから経過した時間を計測する計測工程をさらに有し、
前記表示制御工程は、前記計測手段により計測された時間に基づいて、名称の表示に使用されている言語と異なる言語で名称を表示することを特徴とする請求項１０乃至１２のいずれか一項に記載の制御方法。
【請求項１４】
前記計測工程により計測された時間に応じて通知をする通知工程をさらに有し、
前記表示制御工程は前記通知工程からの通知に基づいて、名称の表示に用いられる言語を切り替えることを特徴とする請求項１３に記載の制御方法。
【請求項１５】
前記通知工程は、アイコン表示から経過した時間が前記所定の時間に達したことに従って通知することを特徴とする請求項１４に記載の制御方法。
【請求項１６】
前記設定工程は、リモートＵＩで設定されることを特徴とする請求項１０に記載の制御方法。
【請求項１７】
前記表示部による前記アイコン選択画面の表示が完了するまで、アイコンの表示の切り替えを継続して実行することを特徴とする請求項１０乃至１６のいずれか一項に記載の制御方法。
【請求項１８】
前記複数の機能はコピー、スキャン、ファクスの少なくとも一つを含むことを特徴とする請求項１０乃至１７のいずれか一項に記載の制御方法。
【請求項１９】
請求項１０乃至１８のいずれか１項に記載の情報処理装置の制御方法をコンピュータが実現するためのコンピュータプログラム。
【手続補正２】
【補正対象書類名】明細書
【補正対象項目名】０００９
【補正方法】変更
【補正の内容】
【０００９】
複数の機能を実行することのできる情報処理装置において、少なくとも第１のアイコンと第２のアイコンを表示するアイコン選択画面を表示する表示部と、前記表示部の表示言語を設定する設定手段と、前記アイコン選択画面に、前記設定手段によって設定された表示言語で、前記第１のアイコンの名称を表示させる表示制御手段と、前記アイコン選択画面を介して、前記第１のアイコンの選択を受け付ける受付手段と、前記受付手段による前記第１のアイコンの受付に従って、前記第１のアイコンに対応する機能を実行する実行手段とを有し、前記第２のアイコンは、前記表示言語を設定するための言語切替アイコンであり、前記表示制御手段は、前記言語切替アイコンの名称を前記設定された表示言語とは異なる複数種類の言語で表示させ、前記表示部に表示されている前記言語切替アイコンが指示されると、前記設定手段によって設定された表示言語が異なる言語に切り替えられることを特徴とする情報処理装置。
【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
タッチパネルディスプレイを有する画像処理装置であって、
前記タッチパネルディスプレイへの指示体のタッチに基づいてユーザ操作を検知する検知手段と、
前記タッチパネルディスプレイに表示されたソフトキーにタッチされた前記指示体の移動距離が第一の閾値を超えた場合、当該ソフトキーの選択をキャンセルするキャンセル手段と、
前記ソフトキーにタッチされた前記指示体の移動距離が前記第一の閾値を超えたとしても、所定の条件を満たす場合は対応するユーザ操作を長押し操作であると判断する判断手段と、を有し、
前記所定の条件は前記指示体の移動距離が前記第一の閾値より大きい第二の閾値を超えない条件を少なくとも含むことを特徴とする画像処理装置。
【請求項２】
前記所定の条件は前記指示体が前記タッチパネルディスプレイにタッチしている時間が所定の時間以上である条件を含むことを特徴とする請求項1に記載の画像処理装置。
【請求項３】
前記判断手段が行う判断は前記ソフトキーにタッチした前記指示体が前記タッチパネルディスプレイから離れるまでの間、繰り返されることを特徴とする請求項１または２に記載の画像処理装置。
【請求項４】
前記指示体の移動距離が前記第二の閾値を超えた場合、前記指示体が前記タッチパネルディスプレイにタッチされている時間のカウントをリセットすることを特徴とする請求項１から３のいずれか一項に記載の画像処理装置。
【請求項５】
前記判断手段がユーザ操作を長押し操作と判断した場合、前記ソフトキーに対する処理の一覧が含まれるメニューを表示する表示制御手段をさらに有することを特徴とする請求項１から４のいずれか一項に記載の画像処理装置。
【請求項６】
前記表示制御手段が表示するメニューはコンテキストメニューであることを特徴とする請求項１から５のいずれか一項に記載の画像処理装置。
【請求項７】
前記キャンセル手段がソフトキーの選択をキャンセルした状態で前記指示体が前記タッチパネルディスプレイから離れた場合、当該ソフトキーに対応する処理は行われないことを特徴とする請求項１から６のいずれか一項に記載の画像処理装置。
【請求項８】
前記指示体の移動距離が前記第一の閾値を超えたとしても、前記所定の条件を満たす場合、対応するユーザ操作は当該ソフトキーの選択をキャンセルする操作でかつ長押し操作であると判断されることを特徴とする請求項１から７のいずれか一項に記載の画像処理装置。
【請求項９】
前記タッチパネルディスプレイは感圧式のタッチパネルであることを特徴とする請求項１から８のいずれか一項に記載の画像処理装置。
【請求項１０】
前記キャンセル手段がソフトキーの選択をキャンセルした場合、当該ソフトキーの表示が変わることを特徴とする請求項１から９のいずれか一項に記載の画像処理装置。
【請求項１１】
前記キャンセル手段がソフトキーの選択をキャンセルした場合でも前記指示体が前記タッチパネルディスプレイから離れていない場合は、前記判断手段が長押し操作であるかの判断を行うことを特徴とする請求項１から１０のいずれか一項に記載の画像処理装置。
【請求項１２】
前記画像処理装置はプリント、スキャン、コピーの少なくともいずれかの機能を有し、前記ソフトキーは機能を実行するためのソフトキーであることを特徴とする請求項１から１１のいずれか一項に記載の画像処理装置。
【請求項１３】
前記検知手段は、前記タッチパネルディスプレイ上の指示体による圧力に基づいてユーザ操作を検知することを特徴とする請求項１から１２のいずれか一項に記載の画像処理装置。
【請求項１４】
タッチパネルディスプレイを有する画像処理装置が実行する制御方法であって、
前記タッチパネルディスプレイへの指示体のタッチに基づいてユーザ操作を検知する検知工程と、
前記タッチパネルディスプレイに表示されたソフトキーにタッチした前記指示体の移動距離が第一の閾値を超えた場合、対応するユーザ操作を当該ソフトキーの選択をキャンセルするキャンセル工程と、
前記ソフトキーにタッチした前記指示体の移動距離が前記第一の閾値を超えたとしても、所定の条件を満たす場合は対応するユーザ操作を長押し操作であると判断する判断工程と、を有し
前記所定の条件は前記指示体の移動距離が前記第一の閾値より大きい第二の閾値を超えない条件を少なくとも含むことを特徴とする制御方法。
【請求項１５】
請求項１から１３のいずれか１項に記載の各手段としてコンピュータを機能させるためのプログラム。
【手続補正２】
【補正対象書類名】明細書
【補正対象項目名】００１０
【補正方法】変更
【補正の内容】
【００１０】
タッチパネルディスプレイを有する画像処理装置であって、前記タッチパネルディスプレイへの指示体のタッチに基づいてユーザ操作を検知する検知手段と、前記タッチパネルディスプレイに表示されたソフトキーにタッチされた前記指示体の移動距離が第一の閾値を超えた場合、当該ソフトキーの選択をキャンセルするキャンセル手段と、前記ソフトキーにタッチされた前記指示体の移動距離が前記第一の閾値を超えたとしても、所定の条件を満たす場合は対応するユーザ操作を長押し操作であると判断する判断手段と、を有し、前記所定の条件は前記指示体の移動距離が前記第一の閾値より大きい第二の閾値を超えない条件を少なくとも含むことを特徴とする画像処理装置。
【手続補正書】
【提出日】令和3年2月15日(2021.2.15)
【手続補正１】
【補正対象書類名】明細書
【補正対象項目名】００２５
【補正方法】変更
【補正の内容】
【００２５】
そして、各格子点に設定されている補正量［ＥＸｉ，ＥＹｉ，ＥＺｉ］を修正する（Ｓ４）。
【手続補正２】
【補正対象書類名】明細書
【補正対象項目名】００２６
【補正方法】削除
【補正の内容】
【手続補正３】
【補正対象書類名】明細書
【補正対象項目名】００３１
【補正方法】変更
【補正の内容】
【００３１】
また、本発明に係る数値制御装置は、上記実施形態の如く、工作機械の加工空間のみを補正するものに限定されず、工作物の線膨張係数等を加味した任意の係数を用いて工作物を含めた空間を補正するもの等に変更することも可能である。さらに、本発明に係る数値制御装置は、上記実施形態の如く、加工空間の隅に誤差マップの原点を設定して補正量を算出するものに限定されず、工作機械の熱変形挙動に合わせて加工空間の任意の格子ポイントを基準として誤差マップを修正するもの等に変更することも可能である。加えて、本発明に係る数値制御装置は、上記実施形態の如く、直角度誤差の算出に形状創成理論を用いるものに限定されず、直角度誤差を幾何学的に算出するもの等に変更することも可能である。また、各格子点に設定されている補正量「ＥＸｉ，ＥＹｉ，ＥＺｉ」の修正（Ｓ４）は、誤差マップの修正と同様に行うことも可能である。
【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
輝度の第１のレンジを有する第１の画像を取得して前記第１のレンジより狭い輝度の第２のレンジを有する第２の画像を出力させるための画像処理を実行する画像処理装置であって、
前記第１の画像の少なくとも一部の領域について、入力される輝度値と出力される輝度値とを対応付ける関係情報を設定する設定手段と、
前記関係情報に基づいて、前記第１の画像の前記少なくとも一部に含まれる画素の輝度値を変換する変換手段と、
を有し、
前記設定手段は、
前記第１の画像の前記少なくとも一部に含まれる輝度値に関する特徴量を特定する特定手段と、
前記第１の画像の前記少なくとも一部に含まれる画素の輝度値に対して当該輝度値に所定値を加算した値を超えない出力輝度値を対応付け、かつ、前記第１の画像の前記少なくとも一部に含まれる画素の輝度値のうち前記特徴量以上の輝度値に対して、前記第２のレンジのうち高い方から所定範囲内の値である一定の出力輝度値を対応付けるように、前記関係情報を生成する生成手段と、
を含むことを特徴とする画像処理装置。
【請求項２】
前記第２の画像を観察する際の前記第２のレンジに関する観察条件の情報を取得する取得手段をさらに有する、
ことを特徴とする請求項１に記載の画像処理装置。
【請求項３】
前記生成手段は、前記第２のレンジの最大の輝度値を前記一定の出力輝度値として前記関係情報を生成する、
ことを特徴とする請求項１又は２に記載の画像処理装置。
【請求項４】
前記特徴量は、前記第１の画像の前記少なくとも一部の画素数に対する、当該第１の画像の前記少なくとも一部に含まれる輝度値の出現頻度を高い方から累積加算した累積出現頻度の割合が、所定割合に達する輝度値である、
ことを特徴とする請求項１から３のいずれか１項に記載の画像処理装置。
【請求項５】
前記特徴量は、前記第１の画像の前記少なくとも一部における輝度値の最大値である、
ことを特徴とする請求項１から３のいずれか１項に記載の画像処理装置。
【請求項６】
前記所定値はコントラストの弁別域に基づいて定まる値である、
ことを特徴とする請求項１から５のいずれか１項に記載の画像処理装置。
【請求項７】
前記生成手段は、前記第１の画像の前記少なくとも一部に含まれる画素の輝度値に対して当該輝度値を超えない出力輝度値を対応付ける、
ことを特徴とする請求項１から５のいずれか１項に記載の画像処理装置。
【請求項８】
前記第１の画像を複数の領域に分割する分割手段をさらに有し、
前記設定手段は、前記複数の領域のそれぞれについて前記関係情報を設定する、
ことを特徴とする請求項１から７のいずれか１項に記載の画像処理装置。
【請求項９】
輝度の第１のレンジを有する第１の画像を取得して前記第１のレンジより狭い輝度の第２のレンジを有する第２の画像を出力させるための画像処理を実行する画像処理装置の制御方法であって、
設定手段が、前記第１の画像の少なくとも一部の領域について、入力される輝度値と出力される輝度値とを対応付ける関係情報を設定する設定工程と、
変換手段が、前記関係情報に基づいて、前記第１の画像の前記少なくとも一部に含まれる画素の輝度値を変換する変換工程と、
を有し、
前記設定工程は、
前記第１の画像の前記少なくとも一部に含まれる輝度値に関する特徴量を特定することと、
前記第１の画像の前記少なくとも一部に含まれる画素の輝度値に対して当該輝度値に所定値を加算した値を超えない出力輝度値を対応付け、かつ、前記第１の画像の前記少なくとも一部に含まれる画素の輝度値のうち前記特徴量以上の輝度値に対して、前記第２のレンジのうち高い方から所定範囲内の値である一定の出力輝度値を対応付けるように、前記関係情報を生成することと、
を含むことを特徴とする制御方法。
【請求項１０】
取得手段が、前記第２の画像を観察する際の前記第２のレンジに関する観察条件の情報を取得する取得工程をさらに有する、
ことを特徴とする請求項９に記載の制御方法。
【請求項１１】
前記設定工程において、前記第２のレンジの最大の輝度値を前記一定の出力輝度値として前記関係情報を生成する、
ことを特徴とする請求項９又は１０に記載の制御方法。
【請求項１２】
前記特徴量は、前記第１の画像の前記少なくとも一部の画素数に対する、当該第１の画像の前記少なくとも一部に含まれる輝度値の出現頻度を高い方から累積加算した累積出現頻度の割合が、所定割合に達する輝度値である、
ことを特徴とする請求項９から１１のいずれか１項に記載の制御方法。
【請求項１３】
前記特徴量は、前記第１の画像の前記少なくとも一部における輝度値の最大値である、
ことを特徴とする請求項９から１１のいずれか１項に記載の制御方法。
【請求項１４】
前記所定値はコントラストの弁別域に基づいて定まる値である、
ことを特徴とする請求項９から１３のいずれか１項に記載の制御方法。
【請求項１５】
前記設定工程において、前記第１の画像の前記少なくとも一部に含まれる画素の輝度値に対して当該輝度値を超えない出力輝度値を対応付ける、
ことを特徴とする請求項９から１３のいずれか１項に記載の制御方法。
【請求項１６】
分割手段が、前記第１の画像を複数の領域に分割する分割工程をさらに有し、
前記設定工程において、前記複数の領域のそれぞれについて前記関係情報を設定する、
ことを特徴とする請求項９から１５のいずれか１項に記載の制御方法。
【請求項１７】
コンピュータを請求項１から８のいずれか１項に記載の画像処理装置が有する各手段として機能させるためのプログラム。
【手続補正書】
【提出日】令和3年7月6日(2021.7.6)
【手続補正１】
【補正対象書類名】特許請求の範囲
【補正対象項目名】全文
【補正方法】変更
【補正の内容】
【特許請求の範囲】
【請求項１】
所定のページを印刷するための印刷対象データの編集画面を表示するコンピュータを、
前記所定のページ内において綴じ部材によって綴じられる位置を示す綴じ位置を含み、且つ前記所定のページ内の印刷可能な領域を示す印刷領域を前記編集画面に表示する表示手段、
前記所定のページ内の画像の配置位置の指定を受け付ける受け付け手段、
前記綴じ位置と、前記印刷領域の前記綴じ位置の側の辺との間の前記印刷領域内の少なくとも一部の領域を含む所定の領域に前記画像が配置されるように、前記指定が受け付けられた場合、通知を行う通知手段
として機能させ、
前記編集画面によって編集された印刷対象データに基づく印刷が印刷装置によって実行されることを特徴とするプログラム。
【請求項２】
前記コンピュータを、
前記編集画面において、編集対象のページが前記所定のページから他のページに変更されたことを検知する検知手段として更に機能させ、
前記所定の領域に前記画像が配置されるように前記指定が受け付けられ、且つ前記編集対象のページが前記所定のページから前記他のページに変更されたことが検知された場合に、前記通知が行われることを特徴とする請求項１に記載のプログラム。
【請求項３】
前記コンピュータを、
前記印刷対象データに基づく印刷を実行させるための印刷指示を受け付ける指示手段として更に機能させ、
前記所定の領域に前記画像が配置されるように前記指定が受け付けられ、且つ前記印刷指示が受け付けられた場合に、前記通知が行われることを特徴とする請求項１又は２に記載のプログラム。
【請求項４】
前記編集画面には、前記所定のページを含む複数のページに対応する領域が表示され、
前記所定の領域に前記画像が配置されるように前記指定が受け付けられた場合、前記所定のページに対応する領域の強調表示を行うことを特徴とする請求項１乃至３のいずれか一項に記載のプログラム。
【請求項５】
前記所定のページと前記所定のページに隣接する隣接ページとにまたがって１つの画像が配置される場合、前記所定の領域に前記画像が配置されるように前記指定が受け付けられたとしても、前記通知が行われないことを特徴とする請求項１乃至４のいずれか一項に記載のプログラム。
【請求項６】
前記所定のページが、前記所定のページを含む冊子における表紙に対応するページである場合、前記所定の領域に前記画像が配置されるように前記指定が受け付けられたとしても、前記通知が行われないことを特徴とする請求項１乃至５のいずれか一項に記載のプログラム。
【請求項７】
前記コンピュータを、
前記所定の領域に前記画像が配置されるか否かを判定する判定手段として更に機能させ、
前記所定の領域に前記画像が配置されると判定された場合、前記通知が行われることを特徴とする請求項１乃至６のいずれか一項に記載のプログラム。
【請求項８】
前記所定のページが、平綴じによって綴じられるページである場合、前記判定が実行され、前記所定のページが、平綴じによって綴じられるページでない場合、前記判定が実行されないことを特徴とする請求項７に記載のプログラム。
【請求項９】
前記コンピュータを、
前記所定のページ内の前記綴じ位置の配置位置の指定を受け付ける手段、
前記指定に基づいて配置される前記綴じ位置に基づいて、前記所定の領域を特定する特定手段
として更に機能させ、
前記特定された前記所定の領域に前記画像が配置されるように、前記指定が受け付けられた場合、前記通知が行われることを特徴とする請求項１乃至８のいずれか一項に記載のプログラム。
【請求項１０】
前記通知は、前記所定の領域に前記画像が配置されることをユーザに通知するための通知画面の表示であることを特徴とする請求項１乃至９のいずれか一項に記載のプログラム。
【請求項１１】
前記印刷領域外で且つ前記所定の領域外の領域に前記画像が配置されても、前記通知は実行されないことを特徴とする請求項１乃至１０のいずれか一項に記載のプログラム。
【請求項１２】
前記コンピュータを、
前記印刷対象データに基づく印刷データを前記印刷装置に送信するための指示を受け付ける指示受付手段として更に機能させ、
前記指示に基づいて前記印刷データが前記印刷装置に送信された場合、前記印刷対象データに基づく印刷が前記印刷装置によって実行されることを特徴とする請求項１乃至１１のいずれか一項に記載のプログラム。
【請求項１３】
前記所定のページが、前記所定のページを含む冊子における表紙に対応するページである場合、前記所定のページを印刷するための前記印刷対象データに基づいて、前記所定のページ及び前記綴じ位置が印刷され、
前記所定のページが、前記所定のページを含む冊子における表紙でないページに対応するページである場合、前記所定のページを印刷するための前記印刷対象データに基づいて、前記所定のページが印刷され、前記綴じ位置が印刷されないことを特徴とする請求項１２に記載のプログラム。
【請求項１４】
所定のページを印刷するための印刷対象データの編集画面を表示する情報処理装置であって、
前記所定のページ内において綴じ部材によって綴じられる位置を示す綴じ位置を含み、且つ前記所定のページ内の印刷可能な領域を示す印刷領域を前記編集画面に表示する表示手段と、
前記所定のページ内の画像の配置位置の指定を受け付ける受け付け手段と、
前記綴じ位置と、前記印刷領域の前記綴じ位置の側の辺との間の、前記印刷領域内の少なくとも一部の所定の領域に前記画像が配置されるように、前記指定が受け付けられた場合、通知を行う通知手段と
を有し、
前記編集画面によって編集された印刷対象データに基づく印刷が印刷装置によって実行されることを特徴とする情報処理装置。
【請求項１５】
所定のページを印刷するための印刷対象データの編集画面を表示する情報処理装置の制御方法であって、
前記所定のページ内において綴じ部材によって綴じられる位置を示す綴じ位置を含み、且つ前記所定のページ内の印刷可能な領域を示す印刷領域を前記編集画面に表示する表示ステップと、
前記所定のページ内の画像の配置位置の指定を受け付ける受け付けステップと、
前記綴じ位置と、前記印刷領域の前記綴じ位置の側の辺との間の、前記印刷領域内の少なくとも一部の所定の領域に前記画像が配置されるように、前記指定が受け付けられた場合、通知を行う通知ステップと
を有し、
前記編集画面によって編集された印刷対象データに基づく印刷が印刷装置によって実行されることを特徴とする制御方法。
【手続補正書】
【提出日】令和3年6月30日(2021.6.30)
【手続補正１】
【補正対象書類名】特許請求の範囲
【補正対象項目名】全文
【補正方法】変更
【補正の内容】
【特許請求の範囲】
【請求項１】
冊子データに含まれるページデータに基づくプレビュー画像を含むプレビュー画面を表示する第１表示手段と、
前記冊子データに含まれる１つのページデータを複数のページにまたがって配置するための見開き属性を設定する設定手段と、
前記見開き属性が設定されたページデータが見開きの条件を満たしていなければ、前記見開き属性が設定されたページデータに基づくプレビュー画像とともに、前記見開き属性が設定されたページデータに基づくプレビュー画像に関連付けて前記見開きの条件を満たしていないことを表示する表示手段と、
を備えることを特徴とする情報処理装置。
【請求項２】
印刷処理のための指示を受け付ける受付手段と、
前記見開き属性が設定されたページデータが前記見開きの条件を満たしていないにも関わらず、前記印刷処理のための指示を受け付けた場合、前記印刷処理の実行を制限する制限手段と、
をさらに備えることを特徴とする請求項１に記載の情報処理装置。
【請求項３】
前記制限手段は、前記見開きの条件を満たしていないことを通知することによって前記印刷処理の実行を制限する、ことを特徴とする請求項２に記載の情報処理装置。
【請求項４】
前記制限手段は、前記受付手段により受け付けた前記印刷処理のための指示が印刷の実行開始の指示でない場合には、当該印刷の実行開始の指示の受付けを制限する、ことを特徴とする請求項２又は３に記載の情報処理装置。
【請求項５】
前記見開きの属性を有するページデータが割り当てられたページの前段でページ数を変更する変更手段、をさらに備え、
前記変更手段は、前記表示手段による表示が行われる代わりに、前記ページ数の変更を行う、
ことを特徴とする請求項１乃至４のいずれか１項に記載の情報処理装置。
【請求項６】
前記変更手段は、ページを追加することにより、前記ページ数を変更することを特徴とする請求項５に記載の情報処理装置。
【請求項７】
前記変更手段により追加されたページを表示する第２表示手段、をさらに備えることを特徴とする請求項６に記載の情報処理装置。
【請求項８】
前記第２表示手段は、前記変更手段により追加されたページを編集可能に表示することを特徴とする請求項７に記載の情報処理装置。
【請求項９】
前記冊子データに基づく印刷処理を印刷装置に印刷させる第２制御手段、をさらに備えることを特徴とする請求項１乃至８のいずれか１項に記載の情報処理装置。
【請求項１０】
前記見開きの条件を満たしていないことを示す情報は、前記見開きの条件を満たしていないと判定された前記見開き属性が設定されたページデータに基づくプレビュー画像上に表示されることを特徴とする請求項１乃至９のいずれか１項に記載の情報処理装置。
【請求項１１】
請求項１乃至１０のいずれか１項に記載の情報処理装置と、
前記冊子データに基づく印刷処理を実行する印刷装置と、
を備えることを特徴とするシステム。
【請求項１２】
情報処理装置において実行される表示方法であって、
冊子データに含まれるページデータに基づくプレビュー画像を含むプレビュー画面を表示する第１表示工程と、
前記冊子データに含まれる１つのページデータを複数のページにまたがって配置するための見開き属性を設定する設定工程と、
前記見開き属性が設定されたページデータが見開きの条件を満たしていなければ、前記見開き属性が設定されたページデータに基づくプレビュー画像とともに、前記見開き属性が設定されたページデータに基づくプレビュー画像に関連付けて前記見開きの条件を満たしていないことを表示する表示工程と、
を有することを特徴とする表示方法。
【請求項１３】
請求項１乃至１０のいずれか１項に記載の情報処理装置の各手段としてコンピュータを機能させるためのプログラム。
【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
情報処理装置のコンピュータを、
前記情報処理装置の表示部に表示され、ユーザから指定された画像を配置可能な複数のページを、ユーザ指示に基づいて編集する編集手段と、
前記複数のページに、画像が配置されていない白紙ページが含まれる場合、ユーザに通知する通知手段として機能させ、
前記編集の結果に基づいて、前記複数のページを印刷するための印刷データが生成されることを特徴とするプログラム。
【請求項２】
前記コンピュータを、
前記複数のページに前記白紙ページを追加するための追加指示をユーザから受け付ける受け付け手段としてさらに機能させ、
前記複数のページに含まれる全ての前記白紙ページが、前記追加指示が受け付けられたことに基づいて前記複数のページに追加された前記白紙ページである場合、前記通知が実行されないことを特徴とする請求項１に記載のプログラム。
【請求項３】
前記通知は、前記複数のページに前記白紙ページが含まれることをユーザに通知するための通知領域を表示する処理であることを特徴とする請求項１又は２に記載のプログラム。
【請求項４】
前記複数のページを前記ユーザ指示に基づいて編集するための編集画面が表示されている状態で、前記通知が実行されることを特徴とする請求項３に記載のプログラム。
【請求項５】
前記複数のページの印刷結果を示すプレビュー画面が表示されている状態で、前記通知が実行されることを特徴とする請求項３に記載のプログラム。
【請求項６】
前記印刷データに基づく印刷を実行するための印刷指示がユーザから受けられたことに基づいて前記通知が実行されることを特徴とする請求項１乃至５のいずれか１項に記載のプログラム。
【請求項７】
前記通知において、前記複数のページに含まれる前記白紙ページの数が通知されることを特徴とする請求項１乃至６のいずれか１項に記載のプログラム。
【請求項８】
前記通知において、前記複数のページに含まれる前記白紙ページの番号が通知されることを特徴とする請求項１乃至７のいずれか１項に記載のプログラム。
【請求項９】
前記コンピュータを、
所定の指示がユーザから受け付けられたことに基づいて、前記複数のページに前記白紙ページを自動で追加する追加手段として更に機能させ、
前記複数のページに自動で追加された前記白紙ページが前記複数のページに含まれる場合、前記通知が実行されることを特徴とする請求項１乃至８のいずれか１項に記載のプログラム。
【請求項１０】
前記所定の指示は、前記複数のページに含まれる所定のページに配置されている画像を、前記所定のページに隣接する隣接ページと前記所定のページとにまたがって配置するための配置指示であり、
前記配置指示に基づく編集により、前記複数のページに前記白紙ページが自動で追加され、
前記配置指示に基づく編集により前記複数のページに自動で追加された前記白紙ページが前記複数のページに含まれる場合、前記通知が実行されることを特徴とする請求項９に記載のプログラム。
【請求項１１】
複数の画像を１枚の記録媒体に印刷するための設定を受け付ける設定受け付けステップをさらに有し、
前記複数のページに配置される画像の数が、前記設定に基づいて決定される前記複数のページの数に満たない場合、前記複数のページに前記白紙ページが自動で追加されることを特徴とする請求項９又は１０に記載のプログラム。
【請求項１２】
前記所定の指示と異なり、前記複数のページに前記白紙ページを追加するための追加指示をユーザから受け付ける受け付けステップをさらに有し、
前記複数のページに含まれる全ての前記白紙ページが、前記追加指示が受け付けられたことに基づいて前記複数のページに追加された前記白紙ページである場合、前記通知が実行されず、
前記複数のページに含まれる前記白紙ページのうち少なくとも１つが、前記追加指示が受け付けられることなく前記複数のページに自動で追加された前記白紙ページである場合、前記通知が実行されることを特徴とする請求項９乃至１１のいずれか１項に記載のプログラム。
【請求項１３】
情報処理装置であって、
前記情報処理装置の表示部に表示され、ユーザから指定された画像を配置可能な複数のページを、ユーザ指示に基づいて編集する編集手段と、
前記複数のページに、画像が配置されていない白紙ページが含まれる場合、ユーザに通知する通知手段と、を有し、
前記編集の結果に基づいて、前記複数のページを印刷するための印刷データが生成されることを特徴とする情報処理装置。
【請求項１４】
情報処理装置の制御方法であって、
前記情報処理装置の表示部に表示され、ユーザから指定された画像を配置可能な複数のページを、ユーザ指示に基づいて編集する編集ステップと、
前記複数のページに、画像が配置されていない白紙ページが含まれる場合、ユーザに通知する通知ステップと、を有し、
前記編集の結果に基づいて、前記複数のページを印刷するための印刷データが生成されることを特徴とする制御方法。
【手続補正２】
【補正対象書類名】明細書
【補正対象項目名】０００７
【補正方法】変更
【補正の内容】
【０００７】
上記課題を解決するために、本願発明は以下の構成を有する。すなわち、本願発明のプログラムは、コンピュータを、前記情報処理装置の表示部に表示され、ユーザから指定された画像を配置可能な複数のページを、ユーザ指示に基づいて編集する編集手段と、前記複数のページに、画像が配置されていない白紙ページが含まれる場合、ユーザに通知する通知手段として機能させ、前記編集の結果に基づいて、前記複数のページを印刷するための印刷データが生成される。
【手続補正書】
【提出日】令和3年11月4日(2021.11.4)
【手続補正１】
【補正対象書類名】特許請求の範囲
【補正対象項目名】全文
【補正方法】変更
【補正の内容】
【特許請求の範囲】
【請求項１】
Ｘ線を透過させるように構成されている薄膜と、
筐体と、
前記薄膜と前記筐体との間に挟まれて前記薄膜と前記筐体との間を気密にシールするとともに、サーモトロピック液晶ポリマーを有する接着剤層と、
を備えているＸ線窓。
【請求項２】
前記サーモトロピック液晶ポリマーには剪断減粘性がある、請求項１に記載のＸ線窓。
【請求項３】
前記接着剤層は近位接着剤層であり、前記Ｘ線窓はさらに遠位接着剤層を備えており、
前記遠位接着剤層は液晶ポリマーを有し、
前記薄膜は、前記近位接着剤層と前記遠位接着剤層との間に挟まれている、
請求項１または２に記載のＸ線窓。
【請求項４】
前記薄膜から前記遠位接着剤層の反対側に配置される金属製のリングをさらに備え、
前記近位接着剤層、前記薄膜、および前記遠位接着剤層は、前記リングと前記筐体との間に挟まれている、
請求項３に記載のＸ線窓。
【請求項５】
前記薄膜と前記接着剤層との間に挟まれたリブ付き支持構造をさらに備え、
前記薄膜および前記リブ付き支持構造は、前記筐体の開口部を横切って延在しており、
前記リブ付き支持構造は、前記開口部を横切って前記薄膜を構造的に支持しており、
前記サーモトロピック液晶ポリマーの粘度は３００℃で１００，０００ｃｐｓ以上である、
請求項１から４の何れか一項に記載のＸ線窓。
【請求項６】
前記サーモトロピック液晶ポリマーを通して前記筐体の内部に入る５５０ｎｍの波長の光および８００ｎｍの波長の光の透過率が３％以下である、請求項１から５の何れか一項に記載のＸ線窓。
【請求項７】
前記サーモトロピック液晶ポリマーのヤング率は２５℃で８ＧＰａ以下であり、
前記サーモトロピック液晶ポリマーの引張強度は、前記薄膜のロールアウト方向、前記ロールアウト方向に対して横方向、またはその両方に対して２５℃で１５０ＭＰａ以上且つ２５０ＭＰａ以下であり、
前記サーモトロピック液晶ポリマーの伸びは２５℃で２０％以上且つ５０％以下である、
請求項１から６の何れか一項に記載のＸ線窓。
【請求項８】
前記サーモトロピック液晶ポリマーの異方性は２５℃で１００ＭＰａ以下であり、
前記サーモトロピック液晶ポリマーの転移温度は２６０℃以上であり、
前記サーモトロピック液晶ポリマーの熱膨張率は２５℃で２０×１０−６ｍ／（ｍ×Ｋ）以下である、
請求項１から７の何れか一項に記載のＸ線窓。
【請求項９】
前記サーモトロピック液晶ポリマーは、４−ヒドロキシベンズアルデヒド、６−ヒドロキシ−２−ナフトアルデヒド、４，４'−ビフェノール、テレフタルアルデヒド、エタン−１，２−ジオールまたはそれらの組み合わせから形成されるサーモトロピック芳香族ポリエステルである、請求項１から８の何れか一項に記載のＸ線窓。
【請求項１０】
前記筐体は開口部を取り囲むフランジを有し、
前記接着剤層は前記フランジ上に配置されるとともに、前記開口部を取り囲む環状形状を有し、
前記フランジ上の前記接着剤層の幅をＷ１４として１ｍｍ≦Ｗ１４≦１５ｍｍであり、
前記薄膜と前記筐体との間における前記接着剤層の厚さは、１０μｍ以上且つ５００μｍ以下である、
請求項１から９の何れか一項に記載のＸ線窓。
【手続補正書】
【提出日】令和3年7月13日(2021.7.13)
【手続補正１】
【補正対象書類名】明細書
【補正対象項目名】００３０
【補正方法】変更
【補正の内容】
【００３０】
無人航空機６の制御部７１は、警戒領域データ取得部１６１、警戒領域通過判定部１６２、緊急着陸要否判定部１６３、経路再算出部１６４、緊急着陸可能領域記憶部１６５、搬送指示取得部１６６、経路算出部１６７、搬送データ記憶部１６８、経路外れ判定部１６９、飛行状況出力部１７１、３次元地図データ記憶部１７２、立入禁止領域記憶部１７３、飛行制御部１７４、および現在位置取得部１７５として機能する。
【手続補正２】
【補正対象書類名】明細書
【補正対象項目名】００３６
【補正方法】変更
【補正の内容】
【００３６】
経路算出部１６７は、３次元地図データ記憶部１７２に記憶されている地図データに基づき、搬送指示取得部１６６が取得した目的地までの飛行可能な経路を算出して経路データを作成する。この飛行可能な経路は、３次元の飛行経路であり、緯度・経度に加えて高度が含まれている。なお、この３次元の飛行経路は、例えば、緯度・経度で構成される２次元の地図データを高度別にレイヤー状に複数備えた３次元地図データを記憶しておき、適宜のレイヤー（高度）上で２次元方向（水平方向）の移動をしつつ、適宜の地点でレイヤー（高度）を切り替えて切り替え後のレイヤー（高度）にて２次元方向（水平方向）の移動をするといった形にすることができる。他にも、３次元の経路は、飛行可能な緯度・経度・高度からなる３次元の領域を３次元地図データとして記憶しておき、３次元上の地点を結ぶように緯度・経度・高度を随時変更しながら移動すると言った形にすることもできる。なお、３次元地図データをレイヤー別の多層構造としておくことにより、例えば高度別に飛行速度を定めるなど、全体としての管理を容易にすることができる。この経路算出部１６７は、立入禁止領域と警戒領域（危険風況領域）を避けて目的地までの経路を算出する。なお、目的地が立入禁止領域または警戒領域内にある場合は、その立入禁止領域または警戒領域だけは避けずに経路設定し、立入禁止領域または警戒領域が近付くとその場か最寄りの緊急着陸領域に待機して、その立入禁止領域または警戒領域の風速が所定の閾値以下となったときに当該領域に侵入して目的地へ飛行する、あるいは、配達不可能地としてエラー出力し、目的地とすることを拒否する構成とするなど、適宜の処理を行う構成とすることが好ましい。これにより、立入禁止領域または警戒領域が目的地となった場合に、経路を算出して飛行を始めたが最終目的地に到達せずに周囲で経路の再計算を繰り返し続けることを防止できる。
【手続補正書】
【提出日】令和3年3月24日(2021.3.24)
【手続補正１】
【補正対象書類名】特許請求の範囲
【補正対象項目名】全文
【補正方法】変更
【補正の内容】
【特許請求の範囲】
【請求項１】
第１の情報処理装置および第２の情報処理装置の間で画像を共有する画像共有方法であって、
前記第１の情報処理装置が、
前記第２の情報処理装置に共有される共有レイヤーに対して描画が実行されると、描画により生成される第１オブジェクトを前記第２の情報処理装置に送信し、前記共有レイヤーで規定される画面内の位置に前記第１オブジェクトを表示し、
前記第２の情報処理装置に共有されない非共有レイヤーに対して描画が実行されると、描画により生成される第２オブジェクトを前記第２の情報処理装置に送信せず、前記非共有レイヤーで規定される前記画面内の位置に前記第２オブジェクトを表示し、
前記非共有レイヤーのサイズおよび前記画面内の位置の一方、または、前記非共有レイヤーのサイズおよび前記画面内の位置の両方を可変に制御する、
ことを特徴とする画像共有方法。
【請求項２】
前記第１の情報処理装置は、前記非共有レイヤーに含まれる前記第２オブジェクトを前記共有レイヤーにコピーするコピー指示を受け付けると、前記コピー指示で指定される前記第２オブジェクトを前記共有レイヤーにコピーし、前記共有レイヤーにコピーされる前記第２オブジェクトを前記第２の情報処理装置に送信する、
ことを特徴とする請求項１に記載の画像共有方法。
【請求項３】
前記第１の情報処理装置は、前記第２の情報処理装置において前記第１の情報処理装置に共有されないレイヤーで規定される範囲を識別させるオブジェクトを、前記画面に表示する、
ことを特徴とする請求項１または２に記載の画像共有方法。
【請求項４】
前記第１の情報処理装置は、
前記共有レイヤーの表示または非表示を選択する第１表示指示を受け付けると、前記第１表示指示に基づいて前記第１オブジェクトを表示または非表示とし、
前記非共有レイヤーの表示または非表示を選択する第２表示指示を受け付けると、前記第２表示指示に基づいて前記第２オブジェクトを表示または非表示とする、
ことを特徴とする請求項１から３のいずれか１項に記載の画像共有方法。
【請求項５】
前記第１の情報処理装置は、前記共有レイヤーと前記非共有レイヤーとの前記画面内における重複部分に対する描画を前記共有レイヤーおよび前記非共有レイヤーのどちらで受け付けるかを選択する選択指示を受け付けると、前記選択指示に基づいて前記共有レイヤーおよび前記非共有レイヤーの一方で前記重複部分に対する描画を受け付ける、
ことを特徴とする請求項１から４のいずれか１項に記載の画像共有方法。
【請求項６】
情報処理装置であって、
他の情報処理装置に共有される共有レイヤーに対して描画が実行されると、描画により生成される第１オブジェクトを前記他の情報処理装置に送信し、前記共有レイヤーで規定される画面内の位置に前記第１オブジェクトを表示し、前記他の情報処理装置に共有されない非共有レイヤーに対して描画が実行されると、描画により生成される第２オブジェクトを前記他の情報処理装置に送信せず、前記非共有レイヤーで規定される前記画面内の位置に前記第２オブジェクトを表示する表示制御部と、
前記非共有レイヤーのサイズおよび前記画面内の位置の一方、または、前記非共有レイヤーのサイズおよび前記画面内の位置の両方を可変に制御する配置制御部と、
を備えることを特徴とする情報処理装置。
【請求項７】
第１の情報処理装置および第２の情報処理装置の間で画像を共有する情報処理システムであって、
前記第１の情報処理装置が、
前記第２の情報処理装置に共有される共有レイヤーに対して描画が実行されると、描画により生成される第１オブジェクトを前記第２の情報処理装置に送信し、前記共有レイヤーで規定される画面内の位置に前記第１オブジェクトを表示し、
前記第２の情報処理装置に共有されない非共有レイヤーに対して描画が実行されると、描画により生成される第２オブジェクトを前記第２の情報処理装置に送信せず、前記非共有レイヤーで規定される前記画面内の位置に前記第２オブジェクトを表示し、
前記非共有レイヤーのサイズおよび前記画面内の位置の一方、または、前記非共有レイヤーのサイズおよび前記画面内の位置の両方を可変に制御する、
ことを特徴とする情報処理システム。
【手続補正２】
【補正対象書類名】明細書
【補正対象項目名】０１０４
【補正方法】変更
【補正の内容】
【０１０４】
情報処理装置１０Ｄｉでは、共有レイヤーＬ１ｉと非共有レイヤーＬ２ｉとの画面ＳＣｉ内における重複部分に対する描画を共有レイヤーＬ１ｉおよび非共有レイヤーＬ２ｉのどちらで受け付けるかを選択することができる。例えば、情報処理装置１０Ｄｉでは、ユーザーによる操作部１１０の操作によって、共有レイヤーＬ１ｉと非共有レイヤーＬ２ｉとの画面ＳＣｉ内における重複部分に対する描画を共有レイヤーＬ１ｉで受け付けさせることができる。この場合、共有レイヤーＬ１ｉと非共有レイヤーＬ２ｉとの画面ＳＣｉ内における重複部分に、共有レイヤーＬ１ｉに対する描画を実行できる。